(57)【要約】【課題】なりすましによるコンテンツの不正使用を防止しつつ、利用者の利便性を向上させるライセンス認証システムを提供することである。【解決手段】ライセンス認証システムであって、ユーザについての複数のユーザ識別コードを生成、格納し、ライセンス受信端末から送信される複数のユーザ識別コード前記ユーザに帰属するかを判定するユーザ識別サーバと、ユーザの要求に基づきユーザ識別サーバからユーザ識別コードを取得し、所定のライセンスをユーザ識別コードと関連付けてユーザに提供するライセンスサーバと、ユーザの要求に基づきユーザ識別サーバからユーザ識別コードを取得し、ユーザ識別コードとライセンス受信端末の端末情報とを関連付けるライセンス受信端末サーバとを備えることを特徴とする。【選択図】図１
2014164494.tif 000002
【特許請求の範囲】
【請求項１】
ライセンス認証システムであって、
ユーザについての複数のユーザ識別コードを生成、格納し、ライセンス受信端末から送信される前記複数のユーザ識別コードが前記ユーザに帰属するかを判定するユーザ識別サーバと、
前記ユーザの要求に基づき前記ユーザ識別サーバから前記ユーザ識別コードを取得し、前記所定のライセンスを該ユーザ識別コードと関連付けて前記ユーザに提供するライセンスサーバと、
前記ユーザの要求に基づき前記ユーザ識別サーバから前記ユーザ識別コードを取得し、該ユーザ識別コードとライセンス受信端末の端末情報とを関連付けるライセンス受信端末サーバと
を備える
ことを特徴とするライセンス認証システム。
【請求項２】
前記ライセンスサーバから前記ユーザ識別コードが関連付けられたライセンスを取得するユーザ端末を備え、
前記ユーザ端末は前記ユーザ識別コードが関連付けられたライセンスを前記ライセンス受信端末に送信する
ことを特徴とする請求項１に記載のライセンス認証システム。
【請求項３】
前記ライセンス受信端末は自己の端末情報に基づきライセンス受信端末サーバから該端末情報と関連付けられたユーザ識別コードを取得する
ことを特徴とする請求項１または２に記載のライセンス認証システム。
【請求項４】
前記ユーザ識別サーバは前記ユーザの要求に基づき、前記ユーザについての問い合わせキーおよび該問い合わせキーに対応するユーザ識別コードを生成し、格納する
ことを特徴とする請求項１乃至請求項３のいずれかに記載のライセンス認証システム。
【請求項５】
前記問い合わせキーは前記ユーザについて複数個生成される
ことを特徴とする請求項４に記載のライセンス認証システム。
【請求項６】
前記ユーザは前記ユーザ識別サーバから取得した問い合わせキーを、前記ライセンスサーバおよび前記ライセンス受信端末サーバへ送信し、前記ライセンスサーバおよび前記ライセンス受信端末サーバは前記問い合わせキーを用いて前記ユーザ識別サーバから前記ユーザの前記ユーザ識別コードを取得する
ことを特徴とする請求項４または５に記載のライセンス認証システム。
【請求項７】
前記問い合わせキーは１回のみ使用可能である
ことを特徴とする請求項４乃至請求項６のいずれかに記載のライセンス認証システム。
【請求項８】
前記ユーザ識別サーバは使用された前記問い合わせキーに対応するユーザ識別コードについて前記同一性の判定を１回のみ行う
ことを特徴とする請求項４乃至請求項７のいずれかに記載のライセンス認証システム。
【請求項９】
前記ライセンス受信端末において、前記ユーザ識別サーバから前記ユーザ識別コードが同一の判定を受信すると前記所定のライセンスが有効になる
ことを特徴とする請求項２乃至請求項８のいずれかに記載のライセンス認証システム。
【請求項１０】
前記所定のライセンスが有効になると前記ライセンス受信端末中の前記複数のユーザ識別コードは消去される
ことを特徴とする請求項９に記載のライセンス認証システム。
【発明の詳細な説明】
【技術分野】
【０００１】
本発明は、コンテンツのライセンス認証に関する。
【背景技術】
【０００２】
近年、パソコンなどの汎用端末ではなく、電子書籍用端末など、特定のコンテンツに対する専用端末が普及しつつある。特定のコンテンツを利用するには、ネットワークを介して、ユーザＩＤおよびＰＷ（パスワード）のライセンス認証を行い、特定のコンテンツをダウンロードする方法が一般的である。しかし専用端末にユーザＩＤおよびＰＷを入力する必要があるので、ユーザＩＤおよびＰＷが第３者に知られてしまうと、不正にコンテンツが利用されてしまう。自宅など利用場所を限定すると、専用端末の利便性が低下してしまう。
【０００３】
そこで、アプリ（アプリケーションソフトウエア）などを使用する機器における固有情報を使用して、ライセンス認証を行う方法があり、その１つが特許文献１に開示されている。
【０００４】
特許文献１は、アプリを予めＩＣカード内の秘密鍵により暗号化し、ＩＣカードがインストールする機器の固有情報を暗号化して、認証情報とし、インストール制御プログラムがＩＣカードから公開鍵と認証情報を取得して認証を行うライセンス認証である。
【先行技術文献】
【特許文献】
【０００５】
【特許文献１】特開２００５−１２２２８３
【発明の概要】
【発明が解決しようとする課題】
【０００６】
しかしながら、電子書籍などのコンテンツ提供者が、なりすましやライセンスキーの複写などによるコンテンツの不正使用を防止する対策を講じる。一方、利用者はなりすましによる不正使用を防止しつつ、コンテンツを簡単に利用したいという要求がある。
【０００７】
特許文献１では、ＩＣカードを紛失すると、インストールができなくなるなど、利用者の利便性が悪い。
【０００８】
これらを鑑み、本発明の目的は、なりすましによるコンテンツの不正使用を防止しつつ、利用者の利便性を向上させるライセンス認証システムを提供することである。
【課題を解決するための手段】
【０００９】
本発明は、ライセンス認証システムであって、ユーザについての複数のユーザ識別コードを生成、格納し、ライセンス受信端末から送信される前記複数のユーザ識別コードが前記ユーザに帰属するかを判定するユーザ識別サーバと、前記ユーザの要求に基づき前記ユーザ識別サーバから前記ユーザ識別コードを取得し、前記所定のライセンスを該ユーザ識別コードと関連付けて前記ユーザに提供するライセンスサーバと、前記ユーザの要求に基づき前記ユーザ識別サーバから前記ユーザ識別コードを取得し、該ユーザ識別コードとライセンス受信端末の端末情報とを関連付けるライセンス受信端末サーバとを備えることを特徴とする。
【発明の効果】
【００１０】
本発明によれば、なりすましによるコンテンツの不正使用を防止しつつ、利用者の利便性を向上させることができる。
【図面の簡単な説明】
【００１１】
【図１】本発明の認証システムの構成例を示す図である。
【図２】ユーザ識別サーバ４００に格納しているデータ例を示す図である。
【図３】ライセンスサーバ５００に格納しているデータ例を示す図である。
【図４】ライセンス受信端末サーバ６００に格納しているデータ例を示す図である。
【図５】認証システムの処理フロー例を示す図である。
【図６】認証システムの処理フロー例を示す図である。
【図７】認証システムの処理フロー例を示す図である。
【図８】認証システムの処理フロー例を示す図である。
【図９】認証システムの処理フロー例を示す図である。
【図１０】ユーザ識別サーバ４００に格納しているデータ例を示す図である。
【図１１】ライセンスサーバ５００に格納しているデータ例を示す図である。
【図１２】ライセンス受信端末サーバ６００に格納しているデータ例を示す図である。
【図１３】認証システムの処理フロー例を示す図である。
【発明を実施するための形態】
【００１２】
本発明の実施形態について、図を参照して説明する。
【００１３】
図１は本発明の認証システムの構成例を示す図である。
【００１４】
本実施形態の認証システムは、ライセンス受信端末１００と、ユーザ端末２００と、電話網やインターネットなどの外部ネットワーク３００と、ユーザ情報を格納するユーザ識別サーバ４００と、コンテンツのライセンスを管理するライセンスサーバ５００と、コンテンツを実行する端末を管理するライセンス受信端末サーバ６００とを備える。
【００１５】
ライセンス受信端末１００は、例えば車載用映像再生端末や電子書籍用端末などであって、外部ネットワーク３００を介して、特定のサーバなどとデータをやり取りし、特定のコンテンツを実行する専用端末である。
【００１６】
ユーザ端末２００は、例えばパソコンやタブレット端末などの汎用端末である。また、ＷＥＢサイトに接続し、表示する機能があれば、携帯電話であってもよい。
【００１７】
ここで、ライセンスにはユーザを特定する個人情報、例えばユーザＩＤ、ＰＷなどが必要であり、入力時に悪意ある第３者に盗み見られるなどの個人情報漏洩のリスクがある。そこで、主にコンテンツ実行に使用するライセンス受信端末１００と、主にライセンスを要求するユーザ端末２００とに分け、一連の処理フローに個人情報の入力がある場合は、ユーザ端末２００を使用することとしている。
【００１８】
ユーザ識別サーバ４００は、例えばネットワークサーバなどであって、ユーザからユーザ識別コード（以下、識別コードと記述）生成の要求があると、当該ユーザに対して、複数の識別コードを生成し、格納する機能と、ユーザから複数の識別コードを受信し、提供済みの複数の識別コードと一致するか否かを判定する機能とを備える。また、ライセンスサーバ５００およびライセンス受信端末サーバ６００と相互接続していて、識別コードの提供要求があると識別コードを提供する機能を備える。
【００１９】
ライセンスサーバ５００は、例えばネットワークサーバなどであって、ユーザからライセンス提供の要求があると、ユーザ識別サーバ４００から識別コードを入手し、当該識別コードを所定のライセンスに関連付けて提供する機能を備える。ライセンスはライセンス受信端末１００においてユーザ識別サーバからの情報（判定結果）に基づき有効になる。
【００２０】
ライセンス受信端末サーバ６００は、例えばネットワークサーバなどであって、予めユーザの個人情報とライセンス受信端末１００の端末情報とを関連付けて格納していて、ユーザから識別コード取得の要求があると、ユーザ識別サーバ４００から識別コードを入手し、当該識別コードと端末情報とを関連付ける機能を備える。
【００２１】
次に、本実施形態におけるユーザ識別サーバ４００と、ライセンスサーバ５００と、ライセンス受信端末サーバ６００とに格納しているデータ例を図２〜図４に示す。なお、連番はデータを一意にするシステム上の番号である。
【００２２】
図２はユーザ識別サーバ４００が生成し、格納するデータ例である。図２は予め、ユーザＩＤを格納しており、識別コード１および２は、識別コード生成の要求の際に生成され、前記ユーザＩＤに関連付けられて格納される。また、この識別コードはユーザ識別サーバ４００がライセンス受信端末１００から送信される識別コードに関する判定を行った後、消去される。なお、識別コード１および２は便宜上の区分であり、ライセンスサーバ５００およびライセンス受信端末サーバ６００にどちらを提供してもよい。
【００２３】
図３はライセンスサーバ５００に格納しているデータ例である。予め、ライセンスを格納していて、ユーザからのライセンス提供の要求の際に、ユーザＩＤを格納し、ユーザ識別サーバ４００から識別コードを取得すると識別コードを格納する。これらの情報はユーザ毎に関連付けられる。また、ユーザからの識別コード取得の要求の際に、ユーザＩＤを格納すると同時に、ライセンスを生成して格納するとしてもよい。
【００２４】
図４はライセンス受信端末サーバ６００に格納されるデータ例である。予め、ユーザＩＤとライセンス受信端末１００の端末情報とが関連付けられて格納されている。ライセンス受信端末サーバ６００はユーザ識別サーバ４００から識別コードを取得すると該識別コードが前記情報に関連付けられて格納される。
【００２５】
次に本発明における認証システムの動作について説明する。
【００２６】
図５に示すように本発明の認証システムの動作は大きく４つの処理フローからなり、識別コード生成（Ｓ１００）と、識別コード付きライセンス取得（Ｓ２００）と、識別コード取得（Ｓ３００）と、識別コード判定（Ｓ４００）との処理フローである。
【００２７】
初めに識別コード生成（Ｓ１００）の処理フローについて説明する。
【００２８】
図６は本実施形態における識別コード生成（Ｓ１００）の処理フロー例を示す図である。
【００２９】
ユーザ端末２００はユーザ識別サーバ４００に接続し、識別コードの生成を要求する（Ｓ１０１）。
【００３０】
ユーザ識別サーバ４００は、識別コード生成の要求を受けると、異なる２つの識別コードを生成し、当該ユーザに関連付けて格納する（Ｓ１０２）。ここで、ユーザ識別サーバ４００は、識別コード生成の要求と同時あるいは要求後に、個人情報、例えばユーザＩＤなどをユーザに対し、要求し、取得することで、ユーザを特定する。本説明では、ユーザＩＤに関連付けて識別コードを格納する。また、２つの識別コードは同一の識別コードであっても本発明の認証システムは動作するが、複製などによる不正防止のため、異なる識別コードとする。
【００３１】
ユーザ識別サーバ４００は、識別コードを格納すると、ユーザ端末２００にその旨をユーザ端末２００に表示させるなどして、処理を終了し、ユーザ端末２００は表示を終了させるなどして、処理を終了する。
【００３２】
本処理フローはライセンス受信端末１００でも可能であるが、前述の通り、個人情報漏洩のリスク回避のため、ユーザ端末２００とする。
【００３３】
次に、識別コード付きライセンス取得（Ｓ２００）の処理フローについて説明する。
【００３４】
図７は本実施形態における識別コード付きライセンス取得（Ｓ２００）の処理フロー例を示す図である。
【００３５】
ユーザ端末２００はライセンスサーバ５００に接続し、ライセンスの提供を要求する（Ｓ２０１）。
【００３６】
ライセンスサーバ５００は、ライセンス提供の要求を受けると、ユーザ識別サーバ４００に対し、当該ユーザにおける２つの識別コードの一方を要求する（Ｓ２０２）。ここで、前の処理フロー（Ｓ１００）において、ユーザＩＤに関連付けて格納するので、ライセンスサーバ５００は、ライセンス提供の要求と同時あるいは要求後に、ユーザに対し、ユーザＩＤを要求し、取得して、ユーザＩＤとともに識別コードの提供を要求する。ここで、ライセンスサーバ５００は、ユーザＩＤを取得すると、所定のライセンスに対し、ユーザＩＤを関連付けて格納する。あるいは、所定のライセンスを生成し、ユーザＩＤに関連付けて格納するとしてもよい。
【００３７】
ユーザ識別サーバ４００は、識別コード提供の要求を受けると、当該ユーザにおける２つの識別コードを抽出し、その一方をライセンスサーバ５００に送信する（Ｓ２０３）。
【００３８】
ライセンスサーバ５００は、識別コードを受信すると、所定のライセンスに関連付けて格納し（Ｓ２０４）、当該識別コードが関連付いた所定のライセンスをユーザ端末２００に送信する（Ｓ２０５）。
【００３９】
ユーザ端末２００は、ライセンス受信後に、識別コードが関連付いた所定のライセンスをライセンス受信端末１００に送信し（Ｓ２０６）、ライセンス受信端末１００は識別コードが関連付いた所定のライセンスを取得する。
【００４０】
ここで、ライセンス受信端末１００への識別コードが関連付いた所定のライセンスの送信は、ＵＳＢメモリなどの記憶媒体を介して実施してもよく、また、ライセンスサーバ５００にライセンス受信端末１００の通信アドレスなどの情報を予め格納させ、ライセンスサーバ５００からライセンス受信端末１００に送信するとしてもよい。
【００４１】
次に、識別コード取得（Ｓ３００）の処理フローについて説明する。
【００４２】
図８は本実施形態における識別コード取得（Ｓ３００）の処理フロー例を示す図である。
【００４３】
ユーザ端末２００はライセンス受信端末サーバ６００に接続し、識別コードの取得を要求する（Ｓ３０１）。
【００４４】
ライセンス受信端末サーバ６００は、予めユーザの個人情報と端末情報と関連付けて格納している。ここでは個人情報をユーザＩＤとし、端末情報を端末固有のＭＡＣアドレスとして説明する。
【００４５】
ライセンス受信端末サーバ６００は、識別コード取得の要求を受けると、ユーザ識別サーバ４００に対し、当該ユーザにおける２つの識別コードの他方の提供を要求する（Ｓ３０２）。ここで、前の処理フロー（Ｓ１００）において、ユーザＩＤに関連付けて格納するので、ライセンス受信端末サーバ６００は、ライセンス提供の要求と同時あるいは要求後に、ユーザに対し、ユーザＩＤを要求し、取得して、ユーザＩＤとともに識別コードの提供を要求する。
【００４６】
ユーザ識別サーバ４００は識別コード提供の要求を受けると、当該ユーザにおける２つの識別コードの他方を抽出し、その他方の識別コードをライセンス受信端末サーバ６００に送信する（Ｓ３０３）。
【００４７】
ライセンス受信端末サーバ６００は、識別コードを受信すると、識別コードをユーザＩＤに関連付けて格納する（Ｓ３０４）。ここで、ユーザＩＤと端末情報とを予め関連付けて格納しているので、ユーザＩＤを介して、端末情報と識別コードとが関連付く。
【００４８】
ライセンス受信端末１００はライセンス受信端末サーバ６００に接続し、識別コード提供を要求する（Ｓ３０５）。
【００４９】
ライセンス受信端末サーバ６００は、ライセンス受信端末１００が接続した際に、当該端末のＭＡＣアドレスを取得し、識別コード提供の要求を受けると、ＭＡＣアドレスによりユーザを特定し、当該ユーザにおける識別コードを抽出し、ライセンス受信端末１００に送信する（Ｓ３０６）。なお、端末情報をライセンス受信端末１００の端末ＩＤとし、ユーザに対し、端末ＩＤを要求し、当該端末ＩＤにより、ユーザを特定することもできる。
【００５０】
本処理フローにおいて、ユーザ端末２００をライセンス受信端末１００とすることが可能であるが、前述の通り、個人情報漏洩のリスク回避のため、ユーザ端末２００とする。また、ライセンス受信端末１００に対し、ユーザＩＤ（個人情報）で識別コードの提供を要求することが可能であるが、前述の通り、個人情報漏洩のリスクを回避するために、端末情報とする。
【００５１】
次に、識別コード判定（Ｓ４００）の処理フローについて説明する。
【００５２】
図９は本実施形態における識別コード判定（Ｓ４００）の処理フロー例を示す図である。
【００５３】
ライセンス受信端末１００はユーザ識別サーバ４００に接続し、２つの識別コードとともに所定のライセンスを送信し、２つの識別コードが同一のユーザに帰属するかの判定を要求する（Ｓ４０１）。
【００５４】
ユーザ識別サーバ４００は、ライセンス受信端末１００から上記判定の要求を受けると、２つの識別コードが同一ユーザに対して生成したものか否かを判定し（Ｓ４０２）、判定結果をライセンス受信端末１００へ送信する（Ｓ４０３）。
【００５５】
ライセンス受信端末１００はライセンスがユーザ識別サーバからの判定結果に基づいて有効になると、２つの識別コードを消去する（Ｓ４０４）。２つの識別コードが同一ユーザに帰属していなければ、ライセンス受信端末１００にその旨を表示させ、処理を終了する。
【００５６】
以上のように、本実施形態ではコンテンツ実行端末１００において、認証に関する個人情報を入力せずに、ライセンスを取得することができ、なりすましによるコンテンツの不正使用を防止しつつ、利用者の利便性を向上させることができる。
【００５７】
次に第２の実施形態について説明する。
【００５８】
本実施形態におけるシステムの構成は第１の実施形態と同じである。
【００５９】
次に、本実施形態におけるユーザ識別サーバ４００と、ライセンスサーバ５００と、ライセンス受信端末サーバ６００とに格納するデータの例を図１０〜図１２に示す。
【００６０】
図１０はユーザ識別サーバ４００が生成し、格納するデータ例である。図１０Ａは第１の実施形態と同じで、予め、ユーザＩＤを格納し、識別コード１（１００１）および２（１００２）は、ユーザからの識別コード生成の要求の際に生成、格納する。また、この識別コードはユーザ識別サーバ４００がライセンス受信端末１００から送信される識別コードに関する判定を行った後、消去される。図１０Ｂにおける識別コード１および２（１００３）は、識別コード１（１００１）および２（１００２）の格納と同時に格納される。問い合わせキー（１００４）は、識別コード１（１００１）および２（１００２）と関連付けられる。そして、ライセンスサーバ５００およびライセンス受信端末サーバ６００に対し、識別コードを提供すると問い合わせキー（１００４）は消去される。
【００６１】
図１１はライセンスサーバ５００に格納しているデータ例である。予め、ライセンスを格納していて、ユーザからのライセンス提供の要求の際に、問い合わせキーを格納し、ユーザ識別サーバ４００から識別コードを取得すると識別コードを格納する。また、ユーザからの識別コード取得の要求の際に、問い合わせキーを格納すると同時に、ライセンスを生成して格納するとしてもよい。
【００６２】
図１２はライセンス受信端末サーバ６００に格納しているデータ例である。予め、ユーザＩＤとライセンス受信端末の端末情報とを格納していて、ユーザからの識別コード取得の要求の際に、問い合わせキーを格納し、ユーザ識別サーバ４００から識別コードを取得すると識別コードを格納する。
【００６３】
次に本発明における認証システムの動作について説明する。
【００６４】
次に、本実施形態におけるシステムの動作を説明する。本動作は第１の実施形態と同じく、大きく４つの処理フローからなっているが、４つの処理フローにおける内容が一部異なり、異なる部分について説明する。
【００６５】
初めに識別コード生成（Ｓ１００）の処理フローについて説明する。
【００６６】
図１３は本実施形態における識別コード生成（Ｓ１００）の処理フロー例を示す図である。
【００６７】
ユーザ端末２００はユーザ識別サーバ４００に接続し、ユーザＩＤとともに問い合わせキーの生成を要求する（Ｓ１１１）。
【００６８】
ユーザ識別サーバ４００は２つの問い合わせキーおよび２つの識別コードを生成し、各々関連付けて格納し（Ｓ１１２）、格納すると、２つの問い合わせキーをユーザ端末２００に送信する（Ｓ１１３）。
【００６９】
ユーザ端末２００は問い合わせキーを受信し、２つの問い合わせキーを取得する。
【００７０】
次に、識別コード付きライセンス取得（Ｓ２００）の処理フローについて説明する。
【００７１】
本処理フローを図７において説明する。
【００７２】
第１の実施形態との違いは、問い合わせキーを用いて、ライセンスの提供を要求する点である。
【００７３】
ユーザ端末２００はライセンスサーバ５００に問い合わせキーを送り、ライセンスの提供を要求する（Ｓ２０１）。
【００７４】
ライセンスサーバ５００は、ライセンス提供の要求を受けると、ユーザ識別サーバ４００に対し、当該問い合わせキーに対応する識別コードの提供を要求する（Ｓ２０２）。
【００７５】
ユーザ識別サーバ４００は、識別コード提供の要求を受けると、当該問い合わせキーに対応する識別コードを抽出し、ライセンスサーバ５００に送信する（Ｓ２０３）。
【００７６】
ライセンスサーバ５００は、識別コードを受信すると、所定のライセンスに関連付けて格納し（Ｓ２０４）、当該識別コードが関連付いた所定のライセンスをユーザ端末２００に送信する（Ｓ２０５）。そして、ユーザ端末２００は、ライセンス受信後に、識別コードが関連付いた所定のライセンスをライセンス受信端末１００に送信し（Ｓ２０６）、ライセンス受信端末１００は識別コードが関連付いた所定のライセンスを取得する。
【００７７】
次に、識別コード取得（Ｓ３００）の処理フローについて説明する。
【００７８】
本処理フローを図８において説明する。
【００７９】
第１の実施形態との違いは、問い合わせキーを用いて、識別コードの取得を要求する点である。
【００８０】
ユーザ端末２００はライセンス受信端末サーバ６００に問い合わせキーを送り、識別コード取得を要求する（Ｓ３０１）。
【００８１】
ライセンス受信端末サーバ６００は、識別コード取得の要求を受けると、ユーザ識別サーバ４００に対し、問い合わせキーを送付し、識別コードの提供を要求する（Ｓ３０２）。
【００８２】
ユーザ識別サーバ４００は識別コード提供の要求を受けると、当該問い合わせキーにおける識別コードを抽出し、識別コードをライセンス受信端末サーバ６００に送信する（Ｓ３０３）。
【００８３】
ライセンス受信端末サーバ６００は、識別コードを受信すると、識別コードをユーザＩＤに関連付けて格納する（Ｓ３０４）。ここで、ユーザＩＤと端末情報とを予め関連付けて格納しているので、ユーザＩＤを介して、端末情報と識別コードとが関連付く。
【００８４】
以降は、第１の実施形態と同じで、ライセンス受信端末１００はライセンス受信端末サーバ６００に接続し、識別コード提供を要求する（Ｓ３０５）。
【００８５】
ライセンス受信端末サーバ６００は、ライセンス受信端末１００が接続した際に、当該端末のＭＡＣアドレスを取得し、識別コード提供の要求を受けると、ＭＡＣアドレスによりユーザを特定し、当該ユーザにおける識別コードを抽出し、ライセンス受信端末１００に送信する（Ｓ３０６）。
【００８６】
ライセンス受信端末１００は識別コードを取得する。
【００８７】
次に、識別コード判定（Ｓ４００）の処理フローについて説明する。
【００８８】
本処理フローは第１の実施形態と同じで、ライセンス受信端末１００はユーザ識別サーバ４００に接続し、２つの識別コードが同一のユーザに帰属するかの判定を要求する（Ｓ４０１）。
【００８９】
ユーザ識別サーバ４００は、ライセンス受信端末１００から上記判定の要求を受けて、上記判定を行い（Ｓ４０２）、判定結果をライセンス受信端末１００へ送信する（Ｓ４０３）。
【００９０】
ライセンス受信端末１００はライセンスがユーザ識別サーバからの判定結果に基づいて有効になると、２つの識別コードを消去する（Ｓ４０４）。２つの識別コードが同一ユーザに帰属していなければ、ライセンス受信端末１００にその旨を表示させ、処理を終了する。
【００９１】
以上のように、本実施形態では認証に関する個人情報の入力回数を減らすことができ、なりすましによるコンテンツの不正使用の防止効果を高めることができる。
【００９２】
したがって、本発明によれば、なりすましによるコンテンツの不正使用を防止しつつ、利用者の利便性を向上させることができる。
【符号の説明】
【００９３】
１００    ライセンス受信端末
２００    ユーザ端末
３００    外部ネットワーク
４００    ユーザ識別サーバ
５００    ライセンスサーバ
６００    ライセンス受信端末サーバ
【図１】
2014164494.tif 000003
【図２】
2014164494.tif 000004
【図３】
2014164494.tif 000005
【図４】
2014164494.tif 000006
【図５】
2014164494.tif 000007
【図６】
2014164494.tif 000008
【図７】
2014164494.tif 000009
【図８】
2014164494.tif 000010
【図９】
2014164494.tif 000011
【図１０】
2014164494.tif 000012
【図１１】
2014164494.tif 000013
【図１２】
2014164494.tif 000014
【図１３】
2014164494.tif 000015